(57)【特許請求の範囲】
【請求項１】
配布物に対して行う後処理を示す情報である折りの種類によって優先度を割り振って、該配布物に掲載する内容の位置を定めた配布物の型を生成する型生成手段と、
前記型生成手段によって生成された配布物の型に、配布物に掲載する内容に関する第１の場所と該配布物の配布先の第２の場所間の距離による優先度を適用して、該配布物に該内容を該型内の優先度に応じて配置することによって、配布物を作成する配布物作成手段
を具備する情報処理装置。
【請求項２】
前記予め定められた規則は、前記配布物の形態によって該配布物の表面に位置する領域の優先度が高く設定されたものである、
請求項１に記載の情報処理装置。
【請求項３】
前記第１の場所を示す情報である地理情報と前記第２の場所を示す情報である配布先情報から、該第１の場所と該第２の場所間の距離を算出する距離算出手段
をさらに具備し、
前記配布物作成手段は、前記距離算出手段によって算出された距離が短い順に優先度を適用し、配布物を作成する、
請求項１又は２に記載の情報処理装置。
【請求項４】
前記距離算出手段は、前記地理情報又は前記配布先情報が座標情報以外である場合は、座標情報に変換し、該座標情報を用いて前記第１の場所と前記第２の場所間の距離を算出する、
請求項３に記載の情報処理装置。
【請求項５】
コンピュータを、
配布物に対して行う後処理を示す情報である折りの種類によって優先度を割り振って、該配布物に掲載する内容の位置を定めた配布物の型を生成する型生成手段と、
前記型生成手段によって生成された配布物の型に、配布物に掲載する内容に関する第１の場所と該配布物の配布先の第２の場所間の距離による優先度を適用して、該配布物に該内容を該型内の優先度に応じて配置することによって、配布物を作成する配布物作成手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ユーザ毎に用意されているホームページのコンテンツを、当該ユーザのコンテンツ情報閲覧履歴に応じて、有用と考えられる項目が含まれるように自動的に改訂していくことが可能な情報処理装置を提供することを課題とし、閲覧コンテンツ識別情報とユーザ毎の閲覧回数情報を対応付けて記録しておき、回数が閾値以上である場合にコンテンツを改訂することが開示されている。
【先行技術文献】
【特許文献】
【０００３】
【特許文献１】特開２０１１−２５８１２８号公報
【発明の概要】
【発明が解決しようとする課題】
【０００４】
本発明は、配布物を作成する場合にあって、配布物の形態毎に予め定められた規則にしたがって生成された型に、内容に関する第１の場所と配布先である第２の場所間の距離による優先度を適用して、配布物に内容を配置するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、配布物に対して行う後処理を示す情報である折りの種類によって優先度を割り振って、該配布物に掲載する内容の位置を定めた配布物の型を生成する型生成手段と、前記型生成手段によって生成された配布物の型に、配布物に掲載する内容に関する第１の場所と該配布物の配布先の第２の場所間の距離による優先度を適用して、該配布物に該内容を該型内の優先度に応じて配置することによって、配布物を作成する配布物作成手段を具備する情報処理装置である。
【０００６】
請求項２の発明は、前記予め定められた規則は、前記配布物の形態によって該配布物の表面に位置する領域の優先度が高く設定されたものである、請求項１に記載の情報処理装置である。
【０００７】
請求項３の発明は、前記第１の場所を示す情報である地理情報と前記第２の場所を示す情報である配布先情報から、該第１の場所と該第２の場所間の距離を算出する距離算出手段をさらに具備し、前記配布物作成手段は、前記距離算出手段によって算出された距離が短い順に優先度を適用し、配布物を作成する、請求項１又は２に記載の情報処理装置である。
【０００８】
請求項４の発明は、前記距離算出手段は、前記地理情報又は前記配布先情報が座標情報以外である場合は、座標情報に変換し、該座標情報を用いて前記第１の場所と前記第２の場所間の距離を算出する、請求項３に記載の情報処理装置である。
【０００９】
請求項５の発明は、コンピュータを、配布物に対して行う後処理を示す情報である折りの種類によって優先度を割り振って、該配布物に掲載する内容の位置を定めた配布物の型を生成する型生成手段と、前記型生成手段によって生成された配布物の型に、配布物に掲載する内容に関する第１の場所と該配布物の配布先の第２の場所間の距離による優先度を適用して、該配布物に該内容を該型内の優先度に応じて配置することによって、配布物を作成する配布物作成手段として機能させるための情報処理プログラムである。
【発明の効果】
【００１０】
請求項１の情報処理装置によれば、配布物を作成する場合にあって、配布物の形態毎に予め定められた規則にしたがって生成された型に、内容に関する第１の場所と配布先である第２の場所間の距離による優先度を適用して、配布物に内容を配置することができる。
【００１１】
請求項２の情報処理装置によれば、配布物の形態によって、その配布物の表面に位置する領域の優先度が高く設定された規則を用いて、配布物の型を生成することができる。
【００１２】
請求項３の情報処理装置によれば、距離が短い順に優先度を適用し、配布物を作成することができる。
【００１３】
請求項４の情報処理装置によれば、地理情報又は配布先情報が座標情報以外である場合であっても、距離を算出することができる。
【００１４】
請求項５の情報処理プログラムによれば、配布物を作成する場合にあって、配布物の形態毎に予め定められた規則にしたがって生成された型に、内容に関する第１の場所と配布先である第２の場所間の距離による優先度を適用して、配布物に内容を配置することができる。
【図面の簡単な説明】
【００１５】
【図１】本実施の形態の構成例についての概念的なモジュール構成図である。
【図２】本実施の形態を実現した場合のシステム構成例を示す説明図である。
【図３】配布物の形態の例を示す説明図である。
【図４】テンプレートの例を示す説明図である。
【図５】コンテンツ情報テーブルのデータ構造例を示す説明図である。
【図６】本実施の形態による処理例を示す説明図である。
【図７】本実施の形態による処理例を示す説明図である。
【図８】本実施の形態による処理例を示す説明図である。
【図９】本実施の形態による処理例を示す説明図である。
【図１０】コンテンツ情報（距離順位付）テーブルのデータ構造例を示す説明図である。
【図１１】本実施の形態による処理例を示す説明図である。
【図１２】本実施の形態による処理例を示すフローチャートである。
【図１３】本実施の形態を実現するコンピュータのハードウェア構成例を示すブロック図である。
【発明を実施するための形態】
【００１６】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１７】
本実施の形態である情報処理装置１００は、配布物を作成するものであって、図１の例に示すように、テンプレート生成モジュール１１０、地理情報変換モジュール１２０、配布物作成モジュール１３０、印刷モジュール１４０を有している。
例えば、受け手に関係するデータ（具体的には、その受け手に近い位置にある店舗等）を、チラシ等の配布物の目立つ場所に優先的に表示させるために、情報処理装置１００は、配布物を作成するにあたって、その配布物の配布先の地理情報を入力し、配布物の型（以下、テンプレートともいう）に流し込むデータ（内容、以下、コンテンツともいう）の地理情報を比較し、配布先に近い順にデータを並び替えて印刷する。
なお、配布物とは、片面又は両面に印刷された配布物で複数の店舗の情報など複数の地理的情報を含む内容の印刷物のことである。１枚又は複数ページから構成される。そのまま配布したり、折って配布したりすることを想定している。配布として、例えば、駅、路上、店舗の前などで不特定多数の人に配布するようなケースがある。
【００１８】
テンプレート生成モジュール１１０は、配布物作成モジュール１３０と接続されており、基本テンプレート情報１０５、後処理情報１０７を受け付ける。テンプレート生成モジュール１１０は、配布物の形態毎に予め定められた規則にしたがって、その配布物に掲載する内容の位置を定めた配布物の型を生成する。ここで「予め定められた規則」として、例えば、配布物の形態によってその配布物の表面に位置する領域の優先度が高く設定されたものとしてもよい。配布物の形態は、後処理情報１０７によって設定されるものである。後処理情報１０７は、配布物１９０に対してどのような後処理を行うかを示す情報である。
後処理情報１０７として、例えば、図３に示すようなものがある。図３は、配布物の形態の例を示す説明図である。図３（ａ）の例に示す配布物１９０ａは、配布物１９０を「二つ折り」にしたものであり、全てで４ページである。図３（ｂ）の例に示す配布物１９０ｂは、配布物１９０を「三つ折り（巻き三つ折り）」にしたものであり、全てで６ページである。図３（ｃ）の例に示す配布物１９０ｃは、配布物１９０を「三つ折り（外三つ折り）」にしたものであり、全てで６ページである。
なお、このような配布物１９０の形態にした場合、配布物の表面（後処理を施した後の状態のままで見ることができるページ）は、図３（ａ）の例に示す配布物１９０ａの場合は片方の（外側の）ページであり、図３（ｂ）の例に示す配布物１９０ｂの場合は片方の（外側の）２面のページであり、図３（ｃ）の例に示す配布物１９０ｃの場合は一方の外側の１面と他方の外側の１面のページである。つまり、後処理情報１０７によって、配布物１９０の中で目立つ領域が異なることになる。
「配布物の形態」として、前述した折りの種類（折りの回数、折り方）の他に、配布物１９０を封筒に封入するか否か、配布物１９０を封筒に封入する場合は、その封筒が全面透明であるか、片面が透明であるか、透明となっている部分（窓）の位置はどこであるか、配布物１９０に圧着が施されているか否か、配布物１９０が複数ページの場合はページ順等がある。
後処理情報１０７は、予め定められたものであってもよいし、ユーザの指示によって選択されたものであってもよい。
【００１９】
基本テンプレート情報１０５は、予め定義されているテンプレートのオブジェクト枠情報のことである。複数あるテンプレートから今回の配布物に適したものをユーザが選択する。図４は、基本テンプレート情報１０５の例を示す説明図である。例えば、基本テンプレート４００は、可変区分（通常）４１０、可変区分（地理情報でソート可能）４２０の２つの区分からなる。そして、可変区分（通常）４１０は、例えば、オブジェクト枠４１２、４１４の２つの領域を有している。可変区分（地理情報でソート可能）４２０は、例えば、オブジェクト枠４２２、４２４、４２６、４２８の４つの領域を有している。オブジェクト枠４１２等に、店舗の広告情報等のコンテンツを流し込むことによって配布物１９０が完成する。また、可変区分（通常）４１０内のオブジェクト枠のコンテンツは、予め定められているが、可変区分（地理情報でソート可能）４２０内のオブジェクト枠のコンテンツは、配布物１９０の配布先の場所に応じて定まる。
【００２０】
地理情報変換モジュール１２０は、配布物作成モジュール１３０と接続されており、コンテンツ情報１２５、配布先地理情報１２７を受け付ける。地理情報変換モジュール１２０は、第１の場所を示す情報である地理情報と第２の場所を示す情報である配布先情報から、その第１の場所とその第２の場所間の距離を算出する。
また、地理情報変換モジュール１２０は、地理情報又は配布先情報が座標情報以外である場合は、座標情報に変換し、その座標情報を用いて第１の場所と第２の場所間の距離を算出するようにしてもよい。
コンテンツ情報１２５は、配布物１９０に掲載する内容のことである。なお、図４に示す例のように、可変区分（通常）４１０に配置するコンテンツ情報と、可変区分（地理情報でソート可能）４２０に配置するコンテンツ情報がある。
可変区分（通常）４１０に配置するコンテンツ情報として、既存のテンプレートパブリッシング技術と同様に、印刷させるテキストや画像等がある。
可変区分（地理情報でソート可能）４２０に配置するコンテンツ情報は、可変区分（通常）４１０に配置するコンテンツ情報と同様にテキストや画像等があるが、地理情報（住所など）を含む。ただし、配布物１９０に直接印字する必要はなく、印字するデータ（コンテンツ）と地理情報が紐付け（関係付け）られていればよい。例えば、コンテンツ情報テーブル５００がある。図５は、コンテンツ情報テーブル５００のデータ構造例を示す説明図である。コンテンツ情報テーブル５００は、コンテンツ１（場所）欄５１０、コンテンツ２（地図）欄５２０、コンテンツ３（営業時間）欄５３０、コンテンツ４（住所）欄５４０を有している。コンテンツ１（場所）欄５１０は、店舗等のコンテンツ１（場所）を記憶している。コンテンツ２（地図）欄５２０は、その店舗等のコンテンツ２（地図）を記憶している。コンテンツ３（営業時間）欄５３０は、その店舗等のコンテンツ３（営業時間）を記憶している。コンテンツ４（住所）欄５４０は、その店舗等のコンテンツ４（地理情報）を記憶している。コンテンツ１（場所）欄５１０、コンテンツ２（地図）欄５２０、コンテンツ３（営業時間）欄５３０は印字するデータに対応しており、コンテンツ４（住所）欄５４０は地理情報に対応している。コンテンツ４（住所）欄５４０内の情報は、配布物１９０に必ずしも印刷する必要はない。
配布先地理情報１２７は、配布先の場所の情報であり、キーボード、マウス、タッチパネル等へのユーザの操作に応じて受け付けられる。配布先地理情報１２７の内容は、住所、ランドマーク情報等である。ランドマーク情報とは、例えば、東京スカイツリー、ランドマークタワー、神奈川県庁、横浜駅などの施設名称等を指す。また、地図をユーザが指し示すことによって座標情報（緯度、経度情報）を受け付けるようにしてもよい。
【００２１】
配布物作成モジュール１３０は、テンプレート生成モジュール１１０、地理情報変換モジュール１２０、印刷モジュール１４０と接続されている。配布物作成モジュール１３０は、テンプレート生成モジュール１１０によって生成された配布物の型に、配布物に掲載する内容に関する第１の場所とその配布物の配布先の第２の場所間の距離による優先度を適用して、その配布物にその内容を配置することによって、配布物を作成する。
また、配布物作成モジュール１３０は、地理情報変換モジュール１２０によって算出された距離が短い順に優先度を適用し、配布物を作成するようにしてもよい。
【００２２】
印刷モジュール１４０は、配布物作成モジュール１３０と接続されており、配布物１９０を出力する。印刷モジュール１４０は、配布物作成モジュール１３０によって作成された配布物の情報を受け取り、その配布物の情報から画像を生成して印刷する。例えば、プリンター等の印刷装置で印刷すること、ファックス等の画像送信装置で画像を送信すること等がある。なお、ディスプレイ等の表示装置に表示すること、画像データベース等の画像記憶装置へ画像を書き込むこと、メモリーカード等の記憶媒体に記憶すること、他の情報処理装置へ渡すこと等を含めてもよい。
【００２３】
図２は、本実施の形態を実現した場合のシステム構成例を示す説明図である。
情報処理装置１００、ユーザ端末２１０、地理情報変換サーバー２２０は、通信回線２９０を介してそれぞれ接続されている。通信回線２９０は、無線、有線、これらの組み合わせであってもよく、例えば、通信インフラとしてのインターネット等であってもよい。ユーザ端末２１０は、ユーザの指示に基づいて、後処理情報１０７、コンテンツ情報１２５、配布先地理情報１２７を受け付けて、情報処理装置１００へ送信する。地理情報変換サーバー２２０は、情報処理装置１００の地理情報変換モジュール１２０から座標情報以外の地理情報又は配布先情報を受け取って、座標情報に変換して、情報処理装置１００の地理情報変換モジュール１２０へ返す。また、プリンターが通信回線２９０に接続されており、情報処理装置１００は、配布先に近いプリンターで配布物１９０を印刷させるように、配布物作成モジュール１３０で生成された配布物の情報を送信してもよい。
【００２４】
テンプレート生成モジュール１１０は、後処理情報１０７と、テンプレート情報から、テンプレートのオブジェクト枠の優先度を決定する。優先度は目立ちやすさで決められ、後処理によって変化する。具体的には、表面（一番初めに目に入る面）の左上（縦書きなら右上）が最も優先度が高くなり、右方向（縦書きなら下方向）へ順に優先度が低くなり、右端（縦書きなら下端）の次は下の行（縦書きなら左隣の行）へ移り、表面が終了したならば、その次に目に入る面といったように優先度を割り振る。
優先度の決定方法は、他のルールに従って決めてもよい。例えば、オブジェクト枠の面積が異なる場合は、面積の順に優先度を決定してもよい。また、複数のパターンのルールを用意しておいてもよいし、基本テンプレート情報１０５を選択する際に、ユーザに選択させてもよい。
【００２５】
図６は、本実施の形態（テンプレート生成モジュール１１０）による処理例を示す説明図である。この例は、二つ折りの「外面優先」としたルールを説明したものである。
図６（ａ）の例に示すテンプレート６００ａは、後処理として二つ折りにしたものであって、表面にオブジェクト枠６１２、６１４、６１６、６１８を有している。なお、二つ折りにする前の状態は、図６（ｂ）の例に示すテンプレート６００ｂのように、オブジェクト枠６１２、６１４、６１６、６１８、６２０、６２２、６２４、６２６を有している。これらのオブジェクト枠は、図４の例で説明した可変区分（地理情報でソート可能）４２０内のものである。
そして、図６（ｂ）の例に示すテンプレート６００ｂの各オブジェクト枠内の番号は、二つ折り（配布物の形態の一例）に対して予め定められた規則にしたがって、配布物１９０に掲載するオブジェクトの位置を定めたものである。つまり、オブジェクト枠６１２、６１４、６１６、６１８、６２０、６２２、６２４、６２６の順に優先度が定められている。ここでの予め定められた規則は、二つ折りという形態であって、配布物１９０の表面に位置する領域（オブジェクト枠６１２、６１４、６１６、６１８）の優先度を、裏面に位置する領域（オブジェクト枠６２０、６２２、６２４、６２６）よりも高く設定したものである。
【００２６】
図７は、本実施の形態（テンプレート生成モジュール１１０）による処理例を示す説明図である。この例は、両面印刷のテンプレートを二つ折りの「開く順序優先」としたルールを説明したものである。
図７（ａ）の例に示すテンプレート７００ａは、後処理として二つ折りにしたものであって、表面にオブジェクト枠７１２、７１４、７１６、７１８を有している。なお、二つ折りにする前の状態は、図７（ｂ）、図７（ｃ）の例に示すテンプレート（オモテ）７００ｂ１、テンプレート（ウラ）７００ｂ２のようになっている。テンプレート（オモテ）７００ｂ１は、オブジェクト枠７１２、７１４、７１６、７１８、７３６、７３８、７４０、７４２を有している。テンプレート（ウラ）７００ｂ２は、オブジェクト枠７２０、７２２、７２４、７２６、７２８、７３０、７３２、７３４を有している。これらのオブジェクト枠は、図４の例で説明した可変区分（地理情報でソート可能）４２０内のものである。
そして、図７（ｂ）、図７（ｃ）の例に示すテンプレート（オモテ）７００ｂ１、テンプレート（ウラ）７００ｂ２の各オブジェクト枠内の番号は、両面印刷の二つ折り（配布物の形態の一例）に対して予め定められた規則にしたがって、配布物１９０に掲載するオブジェクトの位置を定めたものである。つまり、１ページ目に印刷するオブジェクト枠７１２、７１４、７１６、７１８、２ページ目に印刷するオブジェクト枠７２０、７２２、７２４、７２６、３ページ目に印刷するオブジェクト枠７２８、７３０、７３２、７３４、４ページ目に印刷するオブジェクト枠７３６、７３８、７４０、７４２の順に優先度が定められている。ここでの予め定められた規則は、両面印刷の二つ折りという形態であって、配布物１９０の１ページに位置する領域（オブジェクト枠７１２、７１４、７１６、７１８）の優先度を、他のページに位置する領域（オブジェクト枠７２０等）よりも高く設定したものである。
【００２７】
図８は、本実施の形態（地理情報変換モジュール１２０）による処理例を示す説明図である。地理情報変換モジュール１２０は、配布場所と地理情報の距離を算出する。
図８（ａ）の例に示すコンテンツ４（住所）欄５４０は、図５の例に示すコンテンツ情報テーブル５００のコンテンツ４（住所）欄５４０の部分を取り出したものである。地理情報変換モジュール１２０は、コンテンツ４（住所）欄５４０を座標情報欄８１０に変換する。配布先情報はランドマーク情報、住所情報又は座標情報で受け付けられる。ランドマーク情報、住所情報（座標情報以外の情報）の場合は、次のように変換し、最終的に座標情報とする。
例えば、ランドマーク情報から住所情報に変換し、その住所情報から座標情報に変換するように、ランドマーク情報又は住所情報から座標情報に変換する。この変換には、既存の技術を利用してもよい。例えば、ｇｏｏｇｌｅなどから提供されているサービス（ｈｔｔｐ:／／ｗｗｗ.ｇｅｏｃｏｄｉｎｇ.ｊｐ／）、同等の機能を持つ他のサービスのＡＰＩ（Ａｐｐｌｉｃａｔｉｏｎ  Ｐｒｏｇｒａｍｍｉｎｇ  Ｉｎｔｅｒｆａｃｅ）等を活用し実現する。
「東京スカイツリー」から「東京都墨田区押上１−１−２」に変換し、さらに「緯度  ３５度４２分３６．２２７秒（３５．７１００６３），  経度  １３９度４８分３８．５２秒（１３９．８１０７）」と変換する。
【００２８】
そして、地理情報変換モジュール１２０は、２点間（配布先の場所、コンテンツに関する場所（具体的には店舗の住所））の距離を算出する。
図９は、本実施の形態（地理情報変換モジュール１２０）による処理例を示す説明図である。配布位置座標９１０を基準点とし、各コンテンツの座標情報との差分をとり距離を算出する。そして、その距離を用いて昇順に（配布先から近い順に）ソートする。図９の例では、コンテンツ座標９１４（東京展示場）、９１８（川崎展示場）、９１６（横浜展示場）、９１２（海老名展示場）の順となる。図１０は、コンテンツ情報（距離順位付）テーブル１０００のデータ構造例を示す説明図である。コンテンツ情報（距離順位付）テーブル１０００は、コンテンツ１（場所）欄１０１０、コンテンツ２（地図）欄１０２０、コンテンツ３（営業時間）欄１０３０、コンテンツ４（住所）欄１０４０、距離順位欄１０５０を有している。図５の例に示したコンテンツ情報テーブル５００に距離順位欄１０５０を付加したものである。つまり、コンテンツ１（場所）欄１０１０は、コンテンツ１（場所）を記憶している。コンテンツ２（地図）欄１０２０は、コンテンツ２（地図）を記憶している。コンテンツ３（営業時間）欄１０３０は、コンテンツ３（営業時間）を記憶している。コンテンツ４（住所）欄１０４０は、コンテンツ４（住所）を記憶している。距離順位欄１０５０は、距離順位を記憶している。ここでの距離順位は、配布物１９０内の配置する領域の優先順位でもある。
【００２９】
そして、配布物作成モジュール１３０は、テンプレート生成モジュール１１０で作成されたテンプレートに対して、コンテンツ情報１２５を流し込み、配布物１９０を印刷するためのデータを生成する。流し込む際には、テンプレートの優先順位の順に、コンテンツを距離順位で流し込む。
図１１は、本実施の形態（配布物作成モジュール１３０）による処理例を示す説明図である。配布物１１００は、可変領域（通常）１１１０、可変領域（地理情報でソート可能）１１２０を有しており、可変領域（通常）１１１０は、オブジェクト枠１１１２、オブジェクト枠１１１４を有しており、可変領域（地理情報でソート可能）１１２０は、オブジェクト枠１１２２、オブジェクト枠１１２４、オブジェクト枠１１２６、オブジェクト枠１１２８を有している。つまり、図４の例に示した基本テンプレート４００に対して優先順位を割り振り（オブジェクト枠４２２（１１２２）が１位、オブジェクト枠４２４（１１２４）が２位、オブジェクト枠４２６（１１２６）が３位、オブジェクト枠４２８（１１２８）が４位）、図１０の例に示したコンテンツ情報（距離順位付）テーブル１０００の各行のコンテンツを流し込んだ配布物１１００を示している。具体的には、オブジェクト枠１１１２、１１１４には、予め定められた情報（「住宅フェア等」の広告文等）が記載され、オブジェクト枠１１２２には「東京展示場」、オブジェクト枠１１２４には「川崎展示場」、オブジェクト枠１１２６には「横浜展示場」、オブジェクト枠１１２８には「海老名展示場」のコンテンツがそれぞれ配置されている。オブジェクト枠１１２２、１１２４、１１２６、１１２８は、配布物１１００の配布場所によって異なる順番となる。
【００３０】
図１２は、本実施の形態による処理例を示すフローチャートである。
ステップＳ１２０２では、地理情報変換モジュール１２０が、配布先地理情報１２７を受け付ける。
ステップＳ１２０４では、地理情報変換モジュール１２０が、コンテンツ情報１２５を受け付ける。
ステップＳ１２０６では、地理情報変換モジュール１２０が、地理情報を座標情報に変換する。そして、コンテンツの座標情報と配布先座標情報から距離を算出し、距離順の順位を決定する。
ステップＳ１２０８では、テンプレート生成モジュール１１０が、基本テンプレートを選択する。
ステップＳ１２１０では、配布物作成モジュール１３０が、コンテンツ数がその基本テンプレートに収まるか否かを判断し、収まる場合はステップＳ１２１６へ進み、それ以外の場合はステップＳ１２１２へ進む。
【００３１】
ステップＳ１２１２では、配布物作成モジュール１３０が、ページ追加をするか否かを判断し、する場合はステップＳ１２１６へ進み、しない場合はステップＳ１２１４へ進む。ページ追加をするか否かは、例えば、ユーザの選択指示に応じる。
ステップＳ１２１４では、配布物作成モジュール１３０が、コンテンツ情報を削除する。削除対象とするコンテンツ情報は、例えば、ユーザの選択指示に応じる。
ステップＳ１２１６では、テンプレート生成モジュール１１０が、後処理情報１０７を選択する。
ステップＳ１２１８では、テンプレート生成モジュール１１０が、後処理情報１０７に応じて、基本テンプレートからテンプレート（オブジェクト枠に優先度を付したテンプレート）を生成する。
ステップＳ１２２０では、配布物作成モジュール１３０が、ステップＳ１２１８で生成したテンプレートに、順位付けされたコンテンツの流し込みを行う。
ステップＳ１２２２では、印刷モジュール１４０が、配布物１９０を出力する。
【００３２】
なお、本実施の形態としてのプログラムが実行されるコンピュータのハードウェア構成は、図１３に例示するように、一般的なコンピュータであり、具体的にはパーソナルコンピュータ、サーバーとなり得るコンピュータ等である。つまり、具体例として、処理部（演算部）としてＣＰＵ１３０１を用い、記憶装置としてＲＡＭ１３０２、ＲＯＭ１３０３、ＨＤ１３０４を用いている。ＨＤ１３０４として、例えばハードディスク、ＳＳＤ（Ｓｏｌｉｄ  Ｓｔａｔｅ  Ｄｒｉｖｅ）を用いてもよい。テンプレート生成モジュール１１０、地理情報変換モジュール１２０、配布物作成モジュール１３０、印刷モジュール１４０等のプログラムを実行するＣＰＵ１３０１と、そのプログラムやデータを記憶するＲＡＭ１３０２と、本コンピュータを起動するためのプログラム等が格納されているＲＯＭ１３０３と、補助記憶装置（フラッシュメモリ等であってもよい）であるＨＤ１３０４と、キーボード、マウス、タッチパネル等に対する利用者の操作に基づいてデータを受け付ける受付装置１３０６と、ＣＲＴ、液晶ディスプレイ等の出力装置１３０５と、ネットワークインタフェースカード等の通信ネットワークと接続するための通信回線インタフェース１３０７、そして、それらをつないでデータのやりとりをするためのバス１３０８により構成されている。これらのコンピュータが複数台互いにネットワークによって接続されていてもよい。
【００３３】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１３に示すハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１３に示すシステムが複数互いに通信回線によって接続されていて互いに協調動作するようにしてもよい。また、特に、パーソナルコンピュータの他、情報家電、複写機、ファックス、スキャナ、プリンター、複合機（スキャナ、プリンター、複写機、ファックス等のいずれか２つ以上の機能を有している画像処理装置）などに組み込まれていてもよい。
【００３４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００３５】
１００…情報処理装置
１０５…基本テンプレート情報
１０７…後処理情報
１１０…テンプレート生成モジュール
１２０…地理情報変換モジュール
１２５…コンテンツ情報
１２７…配布先地理情報
１３０…配布物作成モジュール
１４０…印刷モジュール
１９０…配布物
２１０…ユーザ端末
２２０…地理情報変換サーバー
２９０…通信回線
【要約】
【課題】配布物を作成する場合にあって、配布物の形態毎に予め定められた規則にしたがって生成された型に、内容に関する第１の場所と配布先である第２の場所間の距離による優先度を適用して、配布物に内容を配置するようにした情報処理装置を提供する。
【解決手段】情報処理装置の型生成手段は、配布物の形態毎に予め定められた規則にしたがって、該配布物に掲載する内容の位置を定めた配布物の型を生成し、配布物作成手段は、前記型生成手段によって生成された配布物の型に、配布物に掲載する内容に関する第１の場所と該配布物の配布先の第２の場所間の距離による優先度を適用して、該配布物に該内容を配置することによって、配布物を作成する。
【選択図】図１【図１】
0005733458.tif 000002
【図２】
0005733458.tif 000003
【図３】
0005733458.tif 000004
【図４】
0005733458.tif 000005
【図５】
0005733458.tif 000006
【図６】
0005733458.tif 000007
【図７】
0005733458.tif 000008
【図８】
0005733458.tif 000009
【図９】
0005733458.tif 000010
【図１０】
0005733458.tif 000011
【図１１】
0005733458.tif 000012
【図１２】
0005733458.tif 000013
【図１３】
0005733458.tif 000014